(57)【特許請求の範囲】
【請求項１】
放送局から放送される番組に関する番組情報を含むデジタル放送信号を受信し、受信したデジタル放送信号から前記番組情報を分離する受信処理部と、
前記受信処理部によって分離された前記番組情報を蓄積して管理する番組情報管理部と、
前記番組の視聴および録画の少なくともいずれか一方の予約を管理する予約管理部と、
使用者を判定する使用者判定部と、
前記使用者判定部によって判定された使用者毎に前記番組の視聴および録画の少なくともいずれか一方の履歴を蓄積し、蓄積した使用者毎の前記履歴と、前記番組情報管理部によって管理される前記番組情報とに基づいて、放送予定の番組のうち、各使用者の嗜好に合致すると類推される番組の視聴および録画の少なくともいずれか一方の予約を前記予約管理部に設定する設定部と、
使用者による操作に応じた操作情報と、その操作を行った使用者を識別する使用者識別情報とを取得する取得部とを備え、
前記取得部は、使用者による遠隔操作に用いられるリモートコントロール装置であって、使用者個別データ記憶部を備え、使用者毎の動作状態を表す複数の動作モードを有する複数のリモートコントロール装置と通信が可能であり、前記通信によって、前記操作情報と前記使用者識別情報とを取得し、
前記使用者判定部は、前記取得部によって取得される前記操作情報と前記使用者識別情報とに基づいて、使用者を判定し、
前記予約は、番組の開始日時および終了日時を少なくとも含み、
前記設定部によって、各使用者からの複数の前記予約が、同一時間帯で重複して設定された場合、複数の前記予約から、使用者毎の前記履歴と前記番組情報とに基づいた各使用者のお好み設定の構築順の優先度が高い使用者の予約を選別し、選別した前記予約を実行させる制御部を備えることを特徴とするデジタル放送受信装置。
【請求項２】
前記取得部と前記リモートコントロール装置とは、赤外線通信が可能であることを特徴とする請求項１に記載のデジタル放送受信装置。
【請求項３】
前記取得部は、インターネット回線網を経由して通信し、携帯情報端末装置から前記操作情報と前記使用者識別情報とを取得可能であることを特徴とする請求項１または２に記載のデジタル放送受信装置。
【発明の詳細な説明】
【技術分野】
【０００１】
本発明は、視聴履歴および録画履歴から使用者の嗜好を類推することによって、使用者の嗜好に合致する番組を視聴予約および録画予約するデジタル放送受信装置に関する。
【背景技術】
【０００２】
使用者の視聴履歴および録画履歴から、使用者の嗜好を類推し、その嗜好に合致する番組を使用者に提示する、または視聴予約および録画予約するデジタル放送受信装置が存在する（たとえば、特許文献１，２参照）。
【０００３】
また、複数のリモートコントロール装置（以下「リモコン装置」という）、またはリモコン装置の動作モードから、複数の使用者を判別し、使用者毎に動作状態を設定することが可能なデジタル放送受信装置が存在する（たとえば、特許文献３参照）。
【先行技術文献】
【特許文献】
【０００４】
【特許文献１】特開２００３−１１０９６０号公報
【特許文献２】特開２００３−１５３１１８号公報
【特許文献３】特開２０００−９９１８４号公報
【発明の概要】
【発明が解決しようとする課題】
【０００５】
１台のデジタル放送受信装置を複数の使用者が使用する場合、個々の使用者の嗜好が異なるので、特許文献１および特許文献２に開示される技術のようにデジタル放送受信装置の視聴履歴および録画履歴から類推した番組は、必ずしも個々の使用者の嗜好に合致したものとはならないという問題がある。
【０００６】
この問題に対し、たとえば特許文献３に開示される技術を用いて複数の使用者を判別し、個々の使用者の視聴履歴および録画履歴から個々の使用者の嗜好を類推して、個々の使用者の嗜好に合致した番組の視聴予約および録画予約を行うことが考えられる。しかし、同一時間帯に視聴予約および録画予約の候補となる番組が複数存在する場合がある。この場合、候補となる番組の中のいずれの番組を優先して視聴予約および録画予約の対象とすべきかが定まらないという問題がある。
【０００７】
本発明の目的は、複数の使用者によって使用される場合に、個々の使用者が予約を行わなくても、個々の使用者の嗜好に合致する番組の視聴および録画の少なくともいずれか一方の予約を行うことができるデジタル放送受信装置を提供することである。
【課題を解決するための手段】
【０００８】
本発明のデジタル放送受信装置は、放送局から放送される番組に関する番組情報を含むデジタル放送信号を受信し、受信したデジタル放送信号から前記番組情報を分離する受信処理部と、前記受信処理部によって分離された前記番組情報を蓄積して管理する番組情報管理部と、前記番組の視聴および録画の少なくともいずれか一方の予約を管理する予約管理部と、使用者を判定する使用者判定部と、前記使用者判定部によって判定された使用者毎に前記番組の視聴および録画の少なくともいずれか一方の履歴を蓄積し、蓄積した使用者毎の前記履歴と、前記番組情報管理部によって管理される前記番組情報とに基づいて、放送予定の番組のうち、各使用者の嗜好に合致すると類推される番組の視聴および録画の少なくともいずれか一方の予約を前記予約管理部に設定する設定部と、使用者による操作に応じた操作情報と、その操作を行った使用者を識別する使用者識別情報とを取得する取得部とを備え、前記取得部は、使用者による遠隔操作に用いられるリモートコントロール装置であって、使用者個別データ記憶部を備え、使用者毎の動作状態を表す複数の動作モードを有する複数のリモートコントロール装置と通信が可能であり、前記通信によって、前記操作情報と前記使用者識別情報とを取得し、前記使用者判定部は、前記取得部によって取得される前記操作情報と前記使用者識別情報とに基づいて、使用者を判定し、前記予約は、番組の開始日時および終了日時を少なくとも含み、前記設定部によって、各使用者からの複数の前記予約が、同一時間帯で重複して設定された場合、複数の前記予約から、使用者毎の前記履歴と前記番組情報とに基づいた各使用者のお好み設定の構築順の優先度が高い使用者の予約を選別し、選別した前記予約を実行させる制御部を備えることを特徴とする。
【発明の効果】
【０００９】
本発明のデジタル放送受信装置によれば、使用者による遠隔操作に用いられるリモートコントロール装置であって、使用者個別データ記憶部を備え、使用者毎の動作状態を表す複数の動作モードを有する複数のリモートコントロール装置との通信によって、使用者による操作に応じた操作情報と、その操作を行った使用者を識別する使用者識別情報とが取得部で取得される。取得部で取得される操作情報と使用者識別情報とに基づいて、使用者判定部によって使用者が判定される。判定された使用者毎に、設定部によって、番組の視聴および録画の少なくともいずれか一方の履歴が蓄積され、蓄積された使用者毎の履歴と、番組情報管理部によって管理される番組情報とに基づいて、放送予定の番組のうち、各使用者の嗜好に合致すると類推される番組の視聴および録画の少なくともいずれか一方の予約が、予約管理部に設定される。これによって、複数の使用者によって使用される場合に、個々の使用者が予約を行わなくても、個々の使用者の嗜好に合致する番組の視聴および録画の少なくともいずれか一方の予約を行うことができる。
また、設定部によって、各使用者からの複数の予約が、同一時間帯で重複して設定された場合でも、複数の予約から、各使用者のお好み設定の構築順の優先度が高い使用者の予約を選別し、選別した予約を制御部が実行させるので、個々の使用者の嗜好に合致する予約を実行させることができる。
【図面の簡単な説明】
【００１０】
【図１】本発明の実施の一形態であるデジタル放送受信装置１を備えるデジタル放送受信システム１００の構成を示すブロック図である。
【図２】使用者毎にお好み設定を行う場合のデジタル放送受信装置１の処理手順を示すフローチャートである。
【図３】お好み設定部１６による番組の視聴予約および録画予約が同一時間帯で重複した場合のデジタル放送受信装置１の処理手順を示すフローチャートである。
【発明を実施するための形態】
【００１１】
＜第１の実施の形態＞
図１は、本発明の実施の一形態であるデジタル放送受信装置１を備えるデジタル放送受信システム１００の構成を示すブロック図である。デジタル放送受信システム１００は、デジタル放送受信装置１、リモートコントロール装置（以下「リモコン装置」という）２および出力装置３を備えて構成される。デジタル放送受信装置１およびリモコン装置２は、複数の使用者を認証可能に構成される。
【００１２】
デジタル放送受信装置１は、アンテナ１１、受信処理部１２、番組情報管理部１３、予約管理部１４、選局制御部１５、お好み設定部１６、使用者判定部１７、録画処理部１８、出力制御部１９、赤外線受光部２０、受信装置側操作入力部２１および受信装置側コントローラ２２を備えて構成される。お好み設定部１６は、設定部に相当する。赤外線受光部２０および受信装置側操作入力部２１は、取得部に相当する。受信装置側コントローラ２２は、制御部に相当する。
【００１３】
デジタル放送受信装置１は、前述のように複数の使用者を認証することが可能であり、複数の使用者によって使用することが可能である。デジタル放送受信装置１は、使用者毎に動作状態を設定することが可能であり、使用者毎に設定された動作状態を表す複数の動作モードを有する。
【００１４】
デジタル放送受信装置１は、不図示の記憶部に、デジタル放送受信装置１を各動作モードにおける動作状態に設定するための設定情報を記憶する。設定情報は、たとえばデジタル放送受信装置１の電源が投入されたときに選局制御部１５で最初に選局するチャンネルを規定する情報、出力装置３の表示部にメニュー画面および電子番組表などを表示させるときに表示制御部１９から出力する表示部の画面表示形式を規定する情報などである。
【００１５】
使用者判定部１７は、デジタル放送受信装置１の動作モードに基づいて、複数の使用者を判別することが可能である。デジタル放送受信装置１の動作モードは、デジタル放送受信装置１の操作を行った使用者を識別する使用者識別情報に相当する。
【００１６】
リモコン装置２は、リモコン側操作入力部３１、使用者個別データ記憶部３２、赤外線発光部３３およびリモコン側コントローラ３４を備えて構成される。リモコン装置２は、使用者によるデジタル放送受信装置１の遠隔操作に用いられる。リモコン装置２によるデジタル放送受信装置１の遠隔操作には、赤外線通信が用いられる。
【００１７】
本実施の形態では、デジタル放送受信システム１００は、デジタル放送受信装置１を遠隔操作可能なリモコン装置として、１つのリモコン装置２を備える。リモコン装置２は、前述のように複数の使用者を認証することが可能であり、複数の使用者によって使用することが可能である。リモコン装置２は、使用者毎に動作状態を設定することが可能であり、使用者毎の動作状態を表す複数の動作モードを有する。
【００１８】
リモコン装置２の使用者個別データ記憶部３２は、複数の動作モードと、その動作モードにおける動作状態にリモコン装置２を設定するための設定情報と、その動作モードを使用する使用者の個人情報とを記憶する。設定情報は、たとえばリモコン装置２の不図示の表示部の画面表示形式を規定する情報、リモコン装置２の動作モードに対応するデジタル放送受信装置１の動作モードを規定する情報などである。デジタル放送受信装置１の動作モードを規定する情報は、赤外線発光部３３からデジタル放送受信装置１に送信される。
【００１９】
デジタル放送受信装置１の使用者判定部１７は、リモコン装置２の動作モードから、複数の使用者を判別することが可能である。リモコン装置２の動作モードは、リモコン装置２の操作を行った使用者を識別する使用者識別情報に相当する。
【００２０】
本発明の他の実施の形態では、デジタル放送受信システム１００は、デジタル放送受信装置１を遠隔操作可能なリモコン装置として、複数のリモコン装置２を備えてもよい。この場合、複数のリモコン装置２は、複数の使用者によって個別に所有されて使用される。各リモコン装置２の使用者個別データ記憶部３２は、他のリモコン装置２と識別するための識別情報と、そのリモコン装置２の使用者の個人情報とを記憶する。識別情報は、たとえば個々のリモコン装置２に個別に割り当てられているＩＤ（Identification）番号である。使用者の個人情報は、たとえば使用者の氏名であるユーザ名である。リモコン装置２の識別情報から、そのリモコン装置２の使用者を判別することが可能である。
【００２１】
出力装置３は、たとえば表示部および音声出力部を備えるテレビジョン受像機によって実現される。表示部は、液晶ディスプレイパネルまたはプラズマディスプレイパネルなどの、映像を出力可能な表示パネルによって実現される。音声出力部は、音声を出力可能なスピーカによって実現される。本実施の形態では、デジタル放送受信装置１は、出力装置３と別体の装置として構成されているが、本発明の他の実施の形態では、デジタル放送受信装置１は、出力装置３を内蔵する構成であってもよい。
【００２２】
アンテナ１１は、たとえば放送衛星（Broadcasting Satellite；略称：ＢＳ）、通信衛星（Communication Satellite；略称：ＣＳ）および地上アンテナを介して複数の放送局から送信されるデジタル放送信号を捕捉する。
【００２３】
デジタル放送受信装置１の受信処理部１２は、デジタルチューナ、増幅回路、復調回路、デマルチプレクサ回路および復号回路を備える。デジタルチューナは、アンテナ１１が捕捉したデジタル放送信号を受信する。デジタル放送信号には、放送局から放送される番組の映像を表す映像信号および音声を表す音声信号、ならびに番組に関する番組情報が含まれている。番組情報には、番組の名称、放送日時および内容などが含まれている。デジタルチューナは、受信したデジタル放送信号から、番組情報を含む特定の周波数の信号を抽出して、増幅回路に与える。
【００２４】
増幅回路は、デジタルチューナから与えられた信号を増幅して、復調回路に与える。復調回路は、増幅回路から与えられた信号を復調する。デマルチプレクサ回路は、復調回路によって復調された信号に多重されている映像信号、音声信号および番組情報を分離する。デマルチプレクサ回路は、分離した映像信号および音声信号を復号回路に与える。またデマルチプレクサ回路は、分離した番組情報を、受信装置側コントローラ２２を介して、番組情報管理部１３に与える。復号回路は、デマルチプレクサ回路から与えられた映像信号および音声信号を復号する。復号回路は、復号した映像信号および音声信号を、受信装置側コントローラ２２を介して、録画処理部１８および出力制御部１９に与える。
【００２５】
番組情報管理部１３は、受信処理部１２のデマルチプレクサ回路から与えられた番組情報を蓄積して管理する。番組情報管理部１３に蓄積される番組情報は、電子番組案内（Electronic Program Guide；略称：ＥＰＧ）および番組のジャンル検索などに用いられる。ＥＰＧは、放送チャンネルの一覧である電子番組表、放送中または放送予定の番組の内容閲覧機能、ならびに所望の番組を容易に検索および予約する機能を提供する。番組情報をＥＰＧおよび番組のジャンル検索に用いる方法の詳細については、説明を省略する。
【００２６】
予約管理部１４は、使用者またはお好み設定部１６によって設定された視聴予約および録画予約を管理して実行する。使用者による視聴予約および録画予約の設定は、使用者が、後述する受信装置側操作入力部２１またはリモコン装置２のリモコン側操作入力部３１を操作することによって行われる。
【００２７】
予約管理部１４に設定される視聴予約には、視聴しようとしている番組を放送する放送局のチャンネル、視聴開始日時および視聴終了日時などが含まれる。
【００２８】
予約管理部１４は、設定された視聴開始日時になると、受信装置側コントローラ２２に対して、視聴開始日時になった旨を通知するとともに、視聴しようとしている番組を放送する放送局のチャンネルを通知する。受信装置側コントローラ２２は、視聴開始日時になった旨が予約管理部１４から通知されると、予約管理部１４から通知された放送局のチャンネルを選局するように、選局制御部１５に選局指示を与える。また受信装置側コントローラ２２は、映像信号および音声信号を出力装置３に出力するように、出力制御部１９に指示を与える。
【００２９】
予約管理部１４は、設定された視聴終了日時になると、受信装置側コントローラ２２に対して、視聴終了日時になった旨を通知する。受信装置側コントローラ２２は、視聴終了日時になった旨が予約管理部１４から通知されると、映像信号および音声信号を出力装置３に出力する処理を終了するように、出力制御部１９に指示を与える。
【００３０】
予約管理部１４に設定される録画予約には、録画しようとしている番組を放送する放送局のチャンネル、録画開始日時および録画終了日時などが含まれる。
【００３１】
予約管理部１４は、設定された録画開始日時になると、受信装置側コントローラ２２に対して、録画開始日時になった旨を通知するとともに、録画使用としている番組を放送する放送局のチャンネルを通知する。受信装置側コントローラ２２は、録画開始日時になった旨が予約管理部１４から通知されると、予約管理部１４から通知された放送局のチャンネルを選局するように、選局制御部１５に選局指示を与える。また受信装置側コントローラ２２は、番組の録画を開始するように、録画処理部１８に指示を与える。
【００３２】
予約管理部１４は、設定された録画終了日時になると、受信装置側コントローラ２２に対して、録画終了日時になった旨を通知する。受信装置側コントローラ２２は、録画終了日時になった旨が予約管理部１４から通知されると、番組の録画を停止するように、録画処理部１８に指示を与える。
【００３３】
選局制御部１５は、後述する受信装置側操作入力部２１またはリモコン装置２のリモコン側操作入力部３１を介して使用者から選局要求を受けると、使用者からの選局要求に基づいて、いずれのチャンネルを選局するかを決め、受信処理部１２のデジタルチューナを制御して、そのチャンネルを選局させる。また選局制御部１５は、受信装置側コントローラ２２を介して予約管理部１４から選局指示を受けると、選局指示に基づいて、いずれのチャンネルを選局するかを決め、受信処理部１２のデジタルチューナを制御して、そのチャンネルを選局させる。
【００３４】
お好み設定部１６は、使用者の視聴履歴および録画履歴を蓄積して管理する。具体的には、お好み設定部１６は、使用者によって受信装置側操作入力部２１またはリモコン側操作入力部３１が操作されて番組の視聴または視聴予約が指示されたときに、その番組の番組情報を使用者の視聴履歴として蓄積する。またお好み設定部１６は、使用者によって受信装置側操作入力部２０またはリモコン側操作入力部３１が操作されて番組の録画または録画予約が指示されたときに、その番組の番組情報を使用者の録画履歴として蓄積する。
【００３５】
お好み設定部１６は、蓄積した使用者の視聴履歴および録画履歴と、番組情報管理部１３で管理される番組情報とに基づいて、使用者の嗜好を解析する。お好み設定部１６は、解析結果と、番組情報管理部１３で管理されている番組情報とに基づいて、使用者の嗜好に合致する番組を類推する。
【００３６】
受信装置側コントローラ２２は、お好み設定部１６において使用者の嗜好に合致する番組であると類推した番組の番組情報を出力装置３に出力するように、出力制御部１９に指示する。お好み設定部１６は、使用者の嗜好に合致する番組であると類推した番組の視聴予約および録画予約を予約管理部１４に設定する。
【００３７】
使用者判定部１７は、リモコン装置２のリモコン側操作入力部３１による操作が、いずれの使用者によって実行されたものであるかを判定する。具体的には、使用者判定部１７は、後述するリモコン装置２の赤外線発光部３３から送信されて、赤外線受光部２０で受信したリモコン装置２の識別情報またはリモコン装置２の動作モードに基づいて、現時点でデジタル放送受信装置１を使用している使用者（以下「現時点の使用者」という場合がある）を判定する。
【００３８】
使用者判定部１７は、使用者の判定結果に基づいて、現時点の使用者が、使用者として設定されている使用者であるか否か、換言すれば使用者が変更されたか否かを判断する。使用者判定部１７は、現時点の使用者が、使用者として設定されている使用者ではない、すなわち使用者が変更されたと判断すると、使用者が変更されたことを、受信装置側コントローラ２２に通知する。
【００３９】
本実施の形態とは異なるが、使用者判定部１７は、デジタル放送受信装置１の使用者切替機能によって使用者が切替えられたか否かに基づいて、使用者が変更されたか否かを判断してもよい。デジタル放送受信装置１は、たとえば出力装置３の表示部に表示させるメニュー画面上に、使用者を切替えるための使用者切替機能を表すアイコンを表示させる。使用者判定部１７は、操作者によって使用者切替機能を表すアイコンが選択され、使用者切替機構が実行されると、それ以降のリモコン側操作入力部３１および受信装置側操作入力部２１の操作は、切替後の使用者が実行しているものと判定する。
【００４０】
またデジタル放送受信装置１の受信装置側操作入力部２１に、使用者を切替えるための使用者切替ボタンを設けて、メニュー画面上に使用者切替機能を表すアイコンを表示させた場合と同様の判定を、使用者判定部１７が行うように構成してもよい。
【００４１】
受信装置側コントローラ２２は、使用者が変更されたことを使用者判定部１７から通知されると、現時点の使用者として判別された使用者が、予め設定していたデジタル放送受信装置１の設定で動作するように、受信処理部１２、番組情報管理部１３、予約管理部１４、選局制御部１５、お好み設定部１６、使用者判定部１７、録画処理部１８および出力制御部１９を制御する。また受信装置側コントローラ２２は、使用者が変更された旨、および現時点の使用者として判別された使用者を、お好み設定部１６に通知する。
【００４２】
お好み設定部１６は、使用者が変更された旨、および現時点の使用者として判別された使用者を受信装置側コントローラ２２から通知されると、通知された現時点の使用者に関する視聴履歴および録画履歴の蓄積を再開する。
【００４３】
使用者判定部１７において、使用者の変更が判定されない限りは、受信装置側操作入力部２１における選局および録画実行などの操作は、使用者として設定されている使用者が実行したものとみなされる。
【００４４】
録画処理部１８は、受信装置側コントローラ２２から与えられた指示に基づいて、番組を録画する。具体的には、録画処理部１８は、受信処理部１２から与えられた映像信号、音声信号および番組情報を記録することによって、番組を録画する。
【００４５】
出力制御部１９は、受信装置側コントローラ２２から与えられた指示に基づいて、受信処理部１２から与えられた映像信号および番組情報を、出力装置３の表示部に表示可能なデータに変換して、出力装置３に与える。また出力制御部１９は、受信装置側コントローラ２２から与えられた指示に基づいて、受信処理部１２から与えられた音声信号を、出力装置３の音声出力部から出力可能なデータに変換して、出力装置３に与える。
【００４６】
赤外線受光部２０は、リモコン装置２と赤外線通信が可能に構成される。赤外線受光部２０は、リモコン装置２の赤外線発光部３３から送信される、赤外線を媒体とした信号（以下「赤外線信号」という）を受信する。赤外線受光部２０は、受信した赤外線信号を受信装置側コントローラ２２に与える。
【００４７】
受信装置側操作入力部２１は、使用者によって操作される操作ボタンなどの複数の操作片を有する。受信装置側操作入力部２１は、操作片として、たとえば、デジタル放送受信装置１の電源を投入または切断するときに使用者によって操作される電源ボタン、チャンネルを選局するときに使用者によって操作されるチャンネルアップダウンボタン、出力装置３の表示部にメニュー画面を表示させるときに使用者によって操作されるメニューボタンを備えている。
【００４８】
受信装置側操作入力部２１は、各操作ボタンが操作されると、その操作に応じた情報を表す操作信号を生成して受信装置側コントローラ２２に与える。したがってデジタル放送受信装置１の使用者は、受信装置側操作入力部２１の各操作ボタンを操作することによって、その操作に応じた情報を受信装置側コントローラ２２に与えることができる。
【００４９】
受信装置側コントローラ２２は、たとえば中央演算処理装置（Central Processing Unit；略称：ＣＰＵ）によって実現される。受信装置側コントローラ２２は、デジタル放送受信装置１を構成する受信処理部１２、番組情報管理部１３、予約管理部１４、選局制御部１５、お好み設定部１６、使用者判定部１７、録画処理部１８、出力制御部１９、赤外線受光部２０および受信装置側操作入力部２１を含むハードウェア資源に接続されている。
【００５０】
受信装置側コントローラ２２は、内蔵するメモリに記憶された制御プログラムに従って、受信装置側コントローラ２２に接続されている前述のハードウェア資源を統括的に制御する。また受信装置側コントローラ２１は、赤外線受光部２０を介して、リモコン装置２から受信した信号に基づいて、前述のハードウェア資源を統括的に制御する。
【００５１】
リモコン側操作入力部３１は、使用者が操作する操作ボタンなどの複数の操作片を有する。リモコン側操作入力部３１は、操作片として、たとえば、デジタル放送受信装置１の電源を投入または切断するときに使用者によって操作される電源ボタン、チャンネルを選局するときに使用者によって操作されるチャンネルアップダウンボタン、出力装置３の表示部にメニュー画面を表示させるときに使用者によって操作されるメニューボタンを備えている。
【００５２】
リモコン側操作入力部３１は、各操作ボタンが操作されると、その操作に応じた情報を表す操作信号を生成してリモコン側コントローラ３４に与える。したがってリモコン装置２の使用者は、リモコン側操作入力部３１の各操作ボタンを操作することによって、その操作に応じた情報をリモコン側コントローラ３４に与えることができる。
【００５３】
使用者個別データ記憶部３２は、リモコン装置２の各使用者に関する情報を表す使用者個別データを記憶する。使用者個別データは、リモコン装置２の使用者毎のデジタル放送受信装置１の設定およびリモコン装置２の動作モードを含む。赤外線発光部３３は、リモコン側コントローラ３４から与えられる指示に従って、デジタル放送受信装置１に向けて赤外線信号を送信する。
【００５４】
リモコン側コントローラ３４は、たとえばＣＰＵによって実現される。リモコン側コントローラ３４は、リモコン装置２を構成するリモコン側操作入力部３１、使用者個別データ記憶部３２および赤外線発光部３３を含むハードウェア資源に接続されている。リモコン側コントローラ３４は、内蔵するメモリに記憶された制御プログラムに従って、リモコン側コントローラ３４に接続されている前述のハードウェア資源を統括的に制御する。
【００５５】
リモコン側コントローラ３４は、リモコン側操作入力部３１から与えられた操作信号を、赤外線発光部３３を介して、デジタル放送受信装置１に送信する。このとき、リモコン側コントローラ３４は、リモコン装置２の識別情報、または使用者個別データ記憶部３２から読出した使用者個別データを、操作信号とともに、赤外線発光部３３を介してデジタル放送受信装置１に送信する。
【００５６】
デジタル放送受信装置１およびリモコン装置２は、複数の動作モードを有する。デジタル放送受信装置１およびリモコン装置２はそれぞれ、複数の動作モードのうち、いずれかの動作モードに設定されて使用される。
【００５７】
デジタル放送受信装置１に設定されている動作モードと、リモコン装置２に設定されている動作モードとが合致している場合にのみ、リモコン装置２によるデジタル放送受信装置１の遠隔操作が可能となる。したがって、リモコン装置２から赤外線信号を送信したとしても、そのリモコン装置２の動作モードが、デジタル放送受信装置１の動作モードと合致していなければ、そのリモコン装置２によってデジタル放送受信装置１を操作することはできない。
【００５８】
このようにリモコン装置２とデジタル放送受信装置１とで動作モードが合致している場合にのみ、リモコン装置２によるデジタル放送受信装置１の遠隔操作を可能とすることによって、他のリモコン装置から送信された赤外線信号によって、デジタル放送受信装置１が誤動作することを防ぐことができる。
【００５９】
本実施の形態では、リモコン装置２は、赤外線通信を用いてデジタル放送受信装置１を遠隔操作するリモコン装置である。リモコン装置２は、これに限らず、たとえば、インターネット回線網を経由して制御信号をデジタル放送受信システム１００のデジタル放送受信装置１に送信して、デジタル放送受信装置１を遠隔操作する携帯情報端末装置であってもよい。
【００６０】
図２は、使用者毎にお好み設定を行う場合のデジタル放送受信装置１の処理手順を示すフローチャートである。図２に示すフローチャートの各処理は、デジタル放送受信装置１のお好み設定部１６、使用者判定部１７および受信装置側コントローラ２２によって実行される。図２に示すフローチャートの処理は、デジタル放送受信装置１の電源が投入されると開始され、ステップａ１に移行する。
【００６１】
ステップａ１において、受信装置側コントローラ２２は、リモコン装置２からの信号を受信したか否かを判断する。具体的には、受信装置側コントローラ２２は、赤外線受光部２０によって、リモコン装置２から送信された赤外線信号を受信したか否かを判断することによって、リモコン装置２からの信号を受信したか否かを判断する。ステップａ１において、受信装置側コントローラ２２が、リモコン装置２からの信号を受信したと判断した場合は、ステップａ２に移行し、リモコン装置２からの信号を受信していないと判断した場合は、受信するまで待機する。
【００６２】
ステップａ２において、使用者判定部１７は、現時点の使用者が、使用者として設定されている使用者（以下「現在設定中の使用者」という場合がある）と異なるか否かを判断する。使用者判定部１７は、リモコン装置２の識別情報、またはリモコン装置２の動作モードに基づいて、現時点の使用者が、現在設定中の使用者と異なるか否かを判断する。リモコン装置２の識別情報および動作モードは、リモコン装置２の赤外線発光部３３から送信され、デジタル放送受信装置１の赤外線受光部２０によって受信され、受信装置側コントローラ２２を介して使用者判定部１７に与えられる。
【００６３】
リモコン装置２の識別情報は、リモコン装置２の赤外線発光部３３から操作信号が送信される度に、赤外線発光部３３から送信され、デジタル放送受信装置１に入力される。リモコン装置２の動作モードは、リモコン装置２の使用者個別データ記憶部３２に記憶されている使用者個別データのうち、リモコン装置２の動作モードが変更されると、リモコン装置２の赤外線発光部３３から送信され、デジタル放送受信装置１に入力される。
【００６４】
ステップａ２において、使用者判定部１７が、現在設定中の使用者と異なると判断した場合は、ステップａ３に移行し、現在設定中の使用者と同一であると判断した場合は、ステップａ４に移行する。
【００６５】
ステップａ３において、お好み設定部１６は、お好み設定を、使用者判定部１７で判別された使用者用に切替えて、ステップａ４に移行する。お好み設定部１６が、使用者判定部１７で判別された使用者用のお好み設定を保持していない場合には、お好み設定部１６は、ステップｓ３において新たにお好み設定を構築して、ステップａ４に移行する。
【００６６】
ステップａ４において、受信処理部１２は、アンテナ１１で捕捉したデジタル放送信号から番組情報を取得して、ステップａ５に移行する。受信処理部１２によって取得された番組情報は、番組情報管理部１３によって、蓄積および管理される。
【００６７】
ステップａ５において、お好み設定部１６は、予約管理部１４および選局制御部１５による視聴履歴および録画履歴を蓄積して、ステップａ６に移行する。
【００６８】
ステップａ６において、お好み設定部１６は、蓄積した視聴履歴および録画履歴と、番組情報管理部１３によって蓄積された番組情報とに基づいて、使用者の嗜好を解析して、ステップａ７に移行する。
【００６９】
ステップａ７において、お好み設定部１６は、ステップａ６における使用者の嗜好の解析結果に基づいて、使用者の嗜好に合致する番組を類推し、類推結果と番組情報管理部１３に蓄積された番組情報とに基づいて、使用者の嗜好に合致する番組があるか否かを判断する。ステップａ７において、お好み設定部１６が、使用者の嗜好に合致する番組があると判断した場合は、ステップａ８に移行し、使用者の嗜好に合致する番組がないと判断した場合は、ステップａ４に戻る。
【００７０】
ステップａ８において、受信装置側コントローラ２２は、使用者の嗜好に合致する番組がある旨を出力装置３の表示部に表示させるように、出力制御部１９を制御して、ステップａ９に移行する。
【００７１】
ステップａ９において、お好み設定部１６は、受信装置側コントローラ２２を介して、使用者の嗜好に合致すると判断した番組の視聴予約および録画予約を予約管理部１４に設定する。
【００７２】
以上のように本実施の形態によれば、使用者判定部１７によって使用者が判定され、判定された使用者毎に番組の視聴履歴および録画履歴が蓄積される。そして、蓄積された使用者毎の視聴履歴および録画履歴と、番組情報管理部１３によって管理される番組情報とに基づいて、放送予定の番組のうち、各使用者の嗜好に合致すると類推される番組の視聴予約および録画予約が、お好み設定部１６によって予約管理部１４に設定される。これによって、使用者が予約を行わなくても、個々の使用者の嗜好に合致する番組の視聴および録画を予約して実行することができる。
【００７３】
また本実施の形態では、使用者判定部１７は、赤外線受光部２０または受信装置側操作入力部２１によって取得される使用者による操作に応じた操作情報を表す操作信号と、リモコン装置２の識別情報もしくは動作モード、またはデジタル放送受信装置１の動作モードとに基づいて、使用者を判定する。これによって、使用者を容易に判定することができる。
【００７４】
また本実施の形態では、使用者判定部１７によるリモコン装置２の使用者の判定に用いられるリモコン装置２から送信される操作信号、リモコン装置２の識別情報および動作モードは、リモコン装置２の赤外線発光部３３とデジタル放送受信装置１の赤外線受光部２０との赤外線通信によって取得される。これによって、デジタル放送受信装置１は、使用者判定部１７によるリモコン装置２の使用者の判定に用いる情報を容易に取得することができる。
【００７５】
また本実施の形態では、図２に示すように、ステップａ７において、お好み設定部１６によって、使用者の嗜好に合致する番組があると判断されると、ステップａ８において、使用者の嗜好に合致する番組がある旨を出力装置３の表示部に表示するように、受信装置側コントローラ２２によって出力制御部１９が制御される。次いで、ステップａ９において、お好み設定部１６によって使用者の嗜好に合致すると判断された番組の視聴予約および録画予約が、予約管理部１４に設定される。
【００７６】
このように本実施の形態では、ステップａ８およびステップａ９の両方の処理が行われるが、これに限定されず、ステップａ８およびステップａ９のいずれか一方の処理が行われてもよい。また本実施の形態のようにステップａ８およびステップａ９の両方の処理が行われる場合には、いずれの処理が先に行われてもよい。
【００７７】
また本実施の形態では、図２に示すステップａ９において、お好み設定部１６によって、使用者の嗜好に合致すると判断された番組について、視聴予約および録画予約の両方が設定されるが、これに限定されず、視聴予約および録画予約のいずれか一方が設定されてもよい。すなわちお好み設定部１６は、視聴および録画の少なくともいずれか一方の予約を設定するように構成されればよい。
【００７８】
図３は、お好み設定部１６による番組の視聴予約および録画予約が同一時間帯で重複した場合のデジタル放送受信装置１の処理手順を示すフローチャートである。図３に示すフローチャートの各処理は、デジタル放送受信装置１の予約管理部１４および受信装置側コントローラ２２によって実行される。図３に示すフローチャートの処理は、デジタル放送受信装置１の電源が投入されると開始され、ステップｂ１に移行する。図３に示すフローチャートの処理は、図２に示すフローチャートの処理と並行して行われる。
【００７９】
ステップｂ１において、受信装置側コントローラ２２は、デジタル放送受信装置１が使用者別お好み設定モードに設定されているか否かを判断する。使用者別お好み設定モードとは、複数の使用者に対して、使用者毎に、お好み設定部１６によって視聴予約および録画予約が設定される動作モードである。ステップｂ１において、受信装置側コントローラ２２が、使用者別お好み設定モードに設定されていると判断した場合は、ステップｂ２に移行し、使用者別お好み設定モードに設定されていないと判断した場合は、全ての処理手順を終了する。
【００８０】
本実施の形態では、デジタル放送受信装置１は、使用者別お好み設定モードに設定されて使用される。したがって、ステップｂ１において、受信装置側コントローラ２２は、使用者別お好み設定モードに設定されていると判断し、ステップｂ２に移行する。本実施の形態とは異なるが、デジタル放送受信装置１は、使用者別お好み設定モードとは異なる他の動作モードに設定されて使用されてもよい。他の動作モードとしては、たとえば使用者を区別せずに、お好み設定部１６によって視聴予約および録画予約が設定される動作モードが挙げられる。
【００８１】
ステップｂ２において、受信装置側コントローラ２２は、お好み設定部１６によって、新たな視聴予約および録画予約が設定されたか否かを判断する。ステップｂ２において、受信装置側コントローラ２２が、お好み設定部１６によって新たな視聴予約および録画予約が設定されたと判断した場合は、ステップｂ３に移行し、新たな視聴予約および録画予約が設定されていないと判断した場合は、設定されるまで待機する。
【００８２】
ステップｂ３において、受信装置側コントローラ２２は、お好み設定部１６によって新たに設定された視聴予約および録画予約と重複する視聴予約および録画予約が予約管理部１４にあるか否かを判断する。ステップｂ３において、受信装置側コントローラ２２が、重複する視聴予約および録画予約があると判断した場合は、ステップｂ４に移行し、重複する視聴予約および録画予約がないと判断した場合は、ステップｂ５に移行する。
【００８３】
ステップｂ４において、受信装置側コントローラ２２は、ステップｂ２でお好み設定部１６によって新たに設定された視聴予約および録画予約が、重複する視聴予約および録画予約よりも優先度が高いか否かを判断する。
【００８４】
ここで、優先度とは、視聴予約および録画予約（以下、まとめて「予約」という場合がある）を優先的に実行する度合いを示す。受信装置側コントローラ２２は、予め定める使用者毎の優先度に基づいて、予約の優先度を判断する。使用者毎の優先度は、各予約に付加されて、各予約ととともに予約管理部１４に記憶される。ステップｂ４において、受信装置側コントローラ２２は、ステップｂ２でお好み設定部１６によって新たに予約が設定された使用者が、重複する予約が設定された使用者よりも優先度が高いか否かを判断し、より優先度の高い使用者に対して設定された予約を、より優先度が高いと判断する。
【００８５】
優先度は、たとえば０〜１００の整数値で表される。優先度が高いか否かは、優先度を表す数値が高いか否かによって判断される。優先度を表す数値が高いほど、優先度が高いと判断される。優先度を表す数値は、たとえば、出力制御部１９を介して出力装置３の表示部に表示されるメニュー上から事前に選択され、使用者判定部１７に優先度として保持される。使用者毎の優先度は、お好み設定の構築順であってもよい。この場合、お好み設定部１６には、使用者毎の優先度として、お好み設定の構築順が保持される。使用者毎の優先度は、ステップｂ４の時点で出力制御部１９を介して出力装置３の表示部に選択画面を表示させ、個別に優先度を使用者に問い合わせることによって、取得されてもよい。
【００８６】
ステップｂ４において、受信装置側コントローラ２２が、重複する視聴予約および録画予約よりも優先度が高いと判断した場合は、ステップｂ５に移行し、重複する視聴予約および録画予約よりも優先度が低いと判断した場合は、ステップｂ６に移行する。
【００８７】
ステップｂ５において、受信装置側コントローラ２２は、お好み設定部１６によって新たに設定された視聴予約および録画予約を実行するように、予約管理部１４を制御する。ステップｂ５の処理を終了した後は、全ての処理手順を終了する。
【００８８】
ステップｂ６において、予約管理部１４は、お好み設定部１６によって新たにステップｂ２で設定された視聴予約および録画予約をキャンセルする。ステップｂ６の処理を終了した後は、全ての処理手順を終了する。
【００８９】
以上のように本実施の形態によれば、お好み設定部１６によって複数の予約が同一時間帯で重複して設定された場合には、受信装置側コントローラ２２によって、優先度の高い予約が実行され、優先度の低い予約はキャンセルされる。この動作は、新たな予約が設定される度に繰返し行われる。したがって、受信装置側コントローラ２２は、使用者毎の優先度に基づいて、複数の予約から優先度が最も高い使用者の予約を選別し、選別した予約を実行させることになる。これによって、複数の予約が同一時間帯で重複して設定された場合でも、いずれかの予約を実行させることができる。
【符号の説明】
【００９０】
１  デジタル放送受信装置、２  リモコン装置、３  表示装置、１１  アンテナ、１２  受信処理部、１３  番組情報管理部、１４  予約管理部、１５  選局制御部、１６  お好み設定部、１７  使用者判定部、１８  録画処理部、１９  表示制御部、２０  赤外線受光部、２１  受信装置側操作入力部、２２  受信装置側コントローラ、３１  リモコン側操作入力部、３２  使用者個別データ記憶部、３３  赤外線発光部、３４  リモコン側コントローラ、１００  デジタル放送受信システム。
【図１】
0005950506.tif 000002
【図２】
0005950506.tif 000003
【図３】
0005950506.tif 000004